(57)【特許請求の範囲】
【請求項１】
一方向に距離をおいて互いに略平行に並ぶ複数本の支持部材と、
前記複数本の支持部材で支持される屋根下地板と、
前記屋根下地板の上に配される屋根材と、
前記屋根材の一部を前記屋根下地板に固定する第一吊り子と、
前記屋根材の他の一部を前記屋根下地板に固定する第二吊り子と、
前記第一吊り子を前記屋根下地板を介して前記支持部材に固定する第一固定具と、
前記第二吊り子を前記屋根下地板に固定する第二固定具とを備え、
前記屋根下地板は、
一対の金属外皮の間に芯材を配置したサンドイッチパネルであり、
前記第一固定具の長さは、前記サンドイッチパネルを貫通して前記支持部材に至る長さであり、
前記第二固定具の長さは、先端が前記サンドイッチパネル内に位置する長さであり、
前記第一固定具は、前記第一吊り子と前記サンドイッチパネルを貫通し前記支持部材まで至って、前記第一吊り子を前記支持部材に固定することを特徴とする屋根構造。
【請求項２】
一方向に距離をおいて互いに略平行に並ぶ複数本の支持部材と、
前記複数本の支持部材で支持される屋根下地板と、
前記屋根下地板の上に配される屋根材と、
前記屋根材の一部を前記屋根下地板を介して前記支持部材に固定する第一固定具と、
前記屋根材の他の一部を前記屋根下地板に固定する第二固定具とを備え、
前記屋根下地板は、
一対の金属外皮の間に芯材を配置したサンドイッチパネルであり、
前記第一固定具の長さは、前記サンドイッチパネルを貫通して前記支持部材に至る長さであり、
前記第二固定具の長さは、先端が前記サンドイッチパネル内に位置する長さであり、
前記第一固定具は、前記屋根材の前記一部と前記サンドイッチパネルを貫通し前記支持部材まで至って、前記屋根材の前記一部を前記支持部材に固定することを特徴とする屋根構造。
【請求項３】
一方向に距離をおいて互いに略平行に並ぶ複数本の支持部材と、
前記複数本の支持部材で支持される屋根下地板と、
前記屋根下地板の上に配され、前記一方向に並ぶ第一屋根材及び第二屋根材と、
前記第一屋根材を前記屋根下地板に固定する第一吊り子と、
前記第二屋根材を前記屋根下地板に固定する第二吊り子と、
前記第一吊り子を前記屋根下地板を介して前記支持部材に固定する第一固定具と、
前記第二吊り子を前記屋根下地板に固定する第二固定具とを備え、
前記屋根下地板は、
一対の金属外皮の間に芯材を配置したサンドイッチパネルであり、
前記第一固定具の長さは、前記サンドイッチパネルを貫通して前記支持部材に至る長さであり、
前記第二固定具の長さは、先端が前記サンドイッチパネル内に位置する長さであり、
前記第一固定具は、前記第一吊り子と前記サンドイッチパネルを貫通し前記支持部材まで至って、前記第一吊り子を前記支持部材に固定することを特徴とする屋根構造。
【請求項４】
一方向に距離をおいて互いに略平行に並ぶ複数本の支持部材と、
前記複数本の支持部材で支持される屋根下地板と、
前記屋根下地板の上に配され、前記一方向に並ぶ第一屋根材及び第二屋根材と、
前記第一屋根材を前記屋根下地板を介して前記支持部材に固定する第一固定具と、
前記第二屋根材を前記屋根下地板に固定する第二固定具とを備え、
前記屋根下地板は、
一対の金属外皮の間に芯材を配置したサンドイッチパネルであり、
前記第一固定具の長さは、前記サンドイッチパネルを貫通して前記支持部材に至る長さであり、
前記第二固定具の長さは、先端が前記サンドイッチパネル内に位置する長さであり、
前記第一固定具は、前記第一屋根材と前記サンドイッチパネルを貫通し前記支持部材まで至って、前記第一屋根材を前記支持部材に固定することを特徴とする屋根構造。
【請求項５】
前記第二屋根材は、前記第一屋根材に引っ掛かって保持されることを特徴とする請求項３または４に記載の屋根構造。
【発明の詳細な説明】
【技術分野】
【０００１】
本発明は、屋根構造に関する。
【背景技術】
【０００２】
特許文献１には、軒棟方向に略平行に並ぶ複数本の垂木の上に固定された野地板の上に、複数枚の金属製の屋根材を軒棟方向に並べて配置し、各屋根材をその上方から打ち込んだ固定釘により野地板を介して垂木に固定した屋根構造が開示されている。
【０００３】
特許文献１に記載の屋根構造では、各屋根材は、その棟側の端部が、固定釘によって野地板を介して垂木に固定されている。そして、各屋根材は、軒側に隣接する他の屋根材の固定された棟側の端部に、軒側の端部を引っ掛けることで、この軒側の端部が野地板を介して垂木に間接的に固定されている。なお、野地板は、一般的に木質の合板である。
【０００４】
このように特許文献１に記載の屋根構造では、各屋根材の棟側の端部と軒側の端部をそれぞれ垂木に直接または間接的に固定することで、各屋根材の取付強度を確保している。
【先行技術文献】
【特許文献】
【０００５】
【特許文献１】特開２００９−９１７８７号公報
【発明の概要】
【発明が解決しようとする課題】
【０００６】
上述した特許文献１に記載の屋根構造のように、複数本の垂木等の支持部材の上に、野地板等の屋根下地板が取り付けられ、この屋根下地板の上に屋根材が取り付けられる屋根構造では、屋根下地板の撓みを抑制するために、複数本の支持部材を、隣接する２本の支持部材間の間隔が所定の間隔（例えば６００ｍｍ）以下となるように、設置する必要がある。
【０００７】
また、この屋根構造では、屋根材の屋根下地板への取付強度を確保するために、屋根材は、屋根下地板を介してその下方の支持部材に固定される必要があり、かつ、屋根材の固定間隔は、所定の間隔以下とする必要がある。
【０００８】
本発明が解決しようとする課題は、屋根下地板を支持する複数本の支持部材間の間隔を広くとることができ、かつ屋根下地板に対して屋根材を、美観に優れ、かつ取付強度が確保される状態で取り付けることができる屋根構造を提案することを課題とする。
【課題を解決するための手段】
【０００９】
上記課題を解決するための本発明の一実施形態の屋根構造は、一方向に距離をおいて互いに略平行に並ぶ複数本の支持部材と、前記複数本の支持部材で支持される屋根下地板と、前記屋根下地板の上に配される屋根材と、前記屋根材の一部を前記屋根下地板に固定する第一吊り子と、前記屋根材の他の一部を前記屋根下地板に固定する第二吊り子と、前記第一吊り子を前記屋根下地板を介して前記支持部材に固定する第一固定具と、前記第二吊り子を前記屋根下地板に固定する第二固定具とを備え、前記屋根下地板は、一対の金属外皮の間に芯材を配置したサンドイッチパネルであり、前記第一固定具の長さは、前記サンドイッチパネルを貫通して前記支持部材に至る長さであり、前記第二固定具の長さは、先端が前記サンドイッチパネル内に位置する長さであることを特徴とする。
【００１０】
また、上記課題を解決するための本発明のさらに他の実施形態の屋根構造は、一方向に距離をおいて互いに略平行に並ぶ複数本の支持部材と、前記複数本の支持部材で支持される屋根下地板と、前記屋根下地板の上に配される屋根材と、前記屋根材の一部を前記屋根下地板を介して前記支持部材に固定する第一固定具と、前記屋根材の他の一部を前記屋根下地板に固定する第二固定具とを備え、前記屋根下地板は、一対の金属外皮の間に芯材を配置したサンドイッチパネルであり、前記第一固定具の長さは、前記サンドイッチパネルを貫通して前記支持部材に至る長さであり、前記第二固定具の長さは、先端が前記サンドイッチパネル内に位置する長さであることを特徴とする。
【００１１】
また、上記課題を解決するための本発明の他の実施形態の屋根構造は、一方向に距離をおいて互いに略平行に並ぶ複数本の支持部材と、前記複数本の支持部材で支持される屋根下地板と、前記屋根下地板の上に配され、前記一方向に並ぶ第一屋根材及び第二屋根材と、前記第一屋根材を前記屋根下地板に固定する第一吊り子と、前記第二屋根材を前記屋根下地板に固定する第二吊り子と、前記第一吊り子を前記屋根下地板を介して前記支持部材に固定する第一固定具と、前記第二吊り子を前記屋根下地板に固定する第二固定具とを備え、前記屋根下地板は、一対の金属外皮の間に芯材を配置したサンドイッチパネルであり、前記第一固定具の長さは、前記サンドイッチパネルを貫通して前記支持部材に至る長さであり、前記第二固定具の長さは、先端が前記サンドイッチパネル内に位置する長さであることを特徴とする。
【００１２】
また、上記課題を解決するための本発明のさらに他の実施形態の屋根構造は、一方向に距離をおいて互いに略平行に並ぶ複数本の支持部材と、前記複数本の支持部材で支持される屋根下地板と、前記屋根下地板の上に配され、前記一方向に並ぶ第一屋根材及び第二屋根材と、前記第一屋根材を前記屋根下地板を介して前記支持部材に固定する第一固定具と、前記第二屋根材を前記屋根下地板に固定する第二固定具とを備え、前記屋根下地板は、一対の金属外皮の間に芯材を配置したサンドイッチパネルであり、前記第一固定具の長さは、前記サンドイッチパネルを貫通して前記支持部材に至る長さであり、前記第二固定具の長さは、先端が前記サンドイッチパネル内に位置する長さであることを特徴とする。
【発明の効果】
【００１３】
本発明の屋根構造は、屋根下地板を支持する複数本の支持部材間の間隔を広くとることができ、かつ屋根下地板に対して屋根材を、美観に優れ、かつ取付強度が確保される状態で取り付けることができる。
【図面の簡単な説明】
【００１４】
【図１】本発明の第一実施形態の屋根構造を示す図であり、図１Ａは一部破断した全体斜視図であり、図１Ｂは図１Ａのａ−ａ線における断面図であり、図１Ｃは図１Ａのｂ−ｂ線における断面図である。
【図２】同上の屋根構造が備えるサンドイッチパネルの一例を示す図であり、図２Ａは全体の斜視図であり、図２Ｂは図１Ａのｃ−ｃ線における断面図であり、図２Ｃは図１Ａのｄ−ｄ線における断面図である。
【図３】本発明の第二実施形態の屋根構造を示す図であり、図３Ａは一部破断した全体斜視図であり、図３Ｂは図３Ａのｅ−ｅ線における断面図であり、図３Ｃは図３Ａのｆ−ｆ線における断面図である。
【図４】本発明の第三実施形態の屋根構造を示す図であり、図４Ａは一部破断した全体斜視図であり、図４Ｂは図４Ａのｇ−ｇ線における断面図であり、図４Ｃは図４Ａのｈ−ｈ線における断面図である。
【図５】本発明の第四実施形態の屋根構造を示す図であり、図５Ａは一部破断した全体斜視図であり、図５Ｂは図５Ａのｉ−ｉ線における断面図であり、図５Ｃは図５Ａのｊ−ｊ線における断面図である。
【発明を実施するための形態】
【００１５】
図１Ａには、本発明の第一実施形態の屋根構造１００を示している。屋根構造１００は、体育館や工場などの中規模建築物に好適に採用されるものである。
【００１６】
屋根構造１００は、一方向（本実施形態では軒棟方向）に距離をおいて互いに略平行に並ぶ複数本の支持部材１と、複数本の支持部材１で支持される複数枚の屋根下地板２と、複数枚の屋根下地板２の上に配される複数枚の屋根材３とを備える。さらに、屋根構造１００は、複数枚の屋根下地板２の上に配される防水シート４を備える。以下では、平面視にて軒棟方向に直交する方向を左右方向として、各構成について説明する。図１Ａでは、矢印Ｘ１で示す方向が棟側であり、矢印Ｙ１で示す方向が右方向であり、矢印Ｚ１で示す方向が上方向である。
【００１７】
複数本の支持部材１のそれぞれは、本実施形態では、左右方向を長手方向とする鉄骨製の梁部材であり、例えば、リップ溝形鋼である。複数本の支持部材１のそれぞれは、少なくとも２本の柱間に架け渡された大梁や、大梁の上に平面視にて直角に配された小梁等の横架材である。なお、支持部材１は、鉄骨製に限らず、木質の横架材であってもよい。
【００１８】
軒棟方向に隣接する２本の支持部材１の間の距離は、例えば、９１０ｍｍである。以下では、軒棟方向に隣接する２本の支持部材１のうち、棟側に位置する一方の支持部材１を第一支持部材１０と記載し、軒側に位置する他方の支持部材１を第二支持部材１１と記載する。本実施形態では、第一支持部材１０は、開口方向が棟側を向くように配された１つのリップ溝形鋼である。第二支持部材１１は、２つのリップ溝形鋼を開口方向が互いに逆向きとなるように一体化させたものである。
【００１９】
屋根下地板２は、図２Ａに示すように、一対の金属外皮２１，２２の間に芯材２３を配したサンドイッチパネル２０である。
【００２０】
金属外皮２１，２２は、金属板をロール加工やプレス加工するなどして所望の形状に成形したものである。金属板は、厚みが、例えば０．２７〜１．６ｍｍ程度である。金属板は、塗装鋼板、亜鉛めっき鋼板、アルミニウム−亜鉛合金めっき鋼板、エスジーエル（登録商標）鋼板等であるが、これに限定されない。
【００２１】
芯材２３は、樹脂発泡体または繊維状無機材またはその組み合わせであり、断熱性や耐火性を有する。樹脂発泡体は、例えば、密度４０〜６０ｋｇ／ｍ３のポリイソシアヌレートフォームやウレタンフォームやフェノールフォームなどである。樹脂発泡体は、例えば、発泡性樹脂液を一対の金属外皮２１，２２間に注入して発泡させることで形成される。なお、樹脂発泡体は、板状に成形したものであってもよく、この場合、樹脂発泡体は、接着により金属外皮２１，２２に取り付けられる。
【００２２】
繊維状無機材は、例えば、ロックウールやグラスウールなどをバインダー等で固めたブロック体を複数並べて１枚の板状に配置したものである。繊維状無機材は、例えば、接着により金属外皮２１，２２に取り付けられる。
【００２３】
また、芯材２３は、繊維状無機材からなる層と樹脂発泡体からなる層とを、サンドイッチパネル２０の厚み方向（金属外皮２１，２２が並ぶ方向）に積層して組み合わせたものであってもよい。
【００２４】
また、芯材２３のうち、サンドイッチパネル２０の周端部に位置する芯材としては、繊維状無機材や樹脂発泡体よりも耐火性の高い耐火芯材を用いてもよい。この場合、耐火芯材は、例えば、石膏や珪酸カルシウムなどの無機材である。
【００２５】
サンドイッチパネル２０は、略長方形板状であり、本実施形態では、軒棟方向が長手方向（長さ方向）となり、左右方向が短手方向（幅方向）となるように、縦張りで用いられる。サンドイッチパネル２０は、右端部に嵌合凸部２４を有し、左端部に嵌合凹部２５を有する。嵌合凸部２４と嵌合凹部２５は、サンドイッチパネル２０の左右の端部に、長手方向に亘って設けられている。嵌合凹部２５の底部には、パッキン２６が配されている。サンドイッチパネル２０の長手方向の長さは、２本の支持部材１０，１１に亘る長さである。
【００２６】
サンドイッチパネル２０は、軒棟方向の長さが、例えば３６３５ｍｍであり、左右方向の幅が、例えば９１０ｍｍである。１枚の屋根下地板２は、例えば、９１０ｍｍ間隔で設置された５本の支持部材１によって支持される。５本の支持部材１は、例えば、最も軒側に位置する支持部材１と、最も棟側に位置する支持部材１が、２つのリップ溝形鋼を開口方向が互いに逆向きとなるように一体化させたものである。そして、軒側から数えて、２番目から４番目までの支持部材１のそれぞれが、開口方向が棟側を向くように配された１つのリップ溝形鋼である。なお、サンドイッチパネル２０のサイズは、上記以外の他のサイズであってもよい。また、１枚のサンドイッチパネル２０を支持する支持部材１の本数、設置間隔、及び種類は、上記以外の他の本数、設置間隔、及び種類であってもよい。
【００２７】
本実施形態の屋根構造１００は、サンドイッチパネル２０を複数枚（図では６枚）備える。複数枚のサンドイッチパネル２０は、複数本の支持部材１上に、軒棟方向及び左右方向に並べて配されている。
【００２８】
左右方向に隣接する２枚のサンドイッチパネル２０は、図２Ｂに示すように、嵌合凸部２４と嵌合凹部２５を嵌め合せることによって隙間なく接続される。軒棟方向に隣接する２枚のサンドイッチパネル２０は、図２Ｃに示すように、端部同士をロックウールフェルト等のシーリング材２７を介して突き合せることによって、隙間なく設置される。なお、軒棟方向に隣接する２枚のサンドイッチパネル２０は、端部同士をシーリング材２７を介さずに直接突き合せて設置してもよい。
【００２９】
各サンドイッチパネル２０は、ドリルねじ等の固定具２８を用いて、軒棟方向の複数箇所がそれぞれ、軒棟方向に並ぶ複数本の支持部材１に固定されることによって、軒棟方向に隣接する複数本の支持部材１上に架け渡した状態で固定される。
【００３０】
複数枚の屋根材３は、図１Ａ乃至図１Ｃに示すように、互いに同大同形のものである。各屋根材３は、軒棟方向を長手方向とし、左右方向を短手方向とする縦張り仕様の金属製の屋根葺き材である。各屋根材３は、軒棟方向の長さが軒棟方向に隣接する２本の支持部材１間の距離よりも長い。
【００３１】
各屋根材３は、１枚の金属板をロール成形機等で変形加工することによって形成される。金属板は、塗装鋼板、亜鉛めっき鋼板、アルミニウム−亜鉛合金めっき鋼板、エスジーエル（登録商標）鋼板等であるが、これに限定されない。金属板の厚みは、例えば０．４ｍｍ〜０．６ｍｍである。なお、屋根材３は、合成樹脂製であってもよい。
【００３２】
各屋根材３は、右端部に、上方に突出した第一引っ掛け部３５を有する。そして、各屋根材３は、左端部に、上方に突出した第二引っ掛け部３６を有する。引っ掛け部３５，３６はそれぞれ、各屋根材３に軒棟方向の全長に亘って設けられている。第一引っ掛け部３５と第二引っ掛け部３６は、互いに接続可能な形状に設けられている。つまり、左右に隣接する２枚の屋根材３は、左側に位置する一方の屋根材３の第一引っ掛け部３５と、右側に位置する他方の屋根材３の第二引っ掛け部３６とが接続可能である。本実施形態では、第二引っ掛け部３６は、第一引っ掛け部３５の少なくとも先端部を上方から覆うように被さる形状に設けられている。
【００３３】
各屋根材３は、左右方向の幅が、例えば３５０ｍｍ〜４５０ｍｍであり、軒棟方向の長さが、例えば、軒棟方向に並ぶ複数の屋根下地板２の軒棟方向の長さの合計と略同じである。なお、各屋根材３は、上記以外の他のサイズであってもよい。
【００３４】
屋根構造１００は、各屋根材３を屋根下地板２（つまりサンドイッチパネル２０）に固定する複数の吊り子８をさらに備える。複数の吊り子８は、屋根材３の軒棟方向の一部をサンドイッチパネル２０に固定する第一吊り子８０と、屋根材３の軒棟方向の他の一部をサンドイッチパネル２０に固定する第二吊り子８１とを含む。吊り子８０，８１は、互いに同大同形である。以下、第一吊り子８０について詳細に説明する。
【００３５】
第一吊り子８０は、サンドイッチパネル２０上に載置される固定片部８２と、固定片部８２の左端部から上方に突出した縦片部８３と、縦片部８３の上端部から左下方向に突出した引っ掛け片部８４を有する。固定片部８２と縦片部８３と引っ掛け片部８４はそれぞれ、略矩形板状である。さらに第一吊り子８０は、縦片部８３から右方向に突出した第二引っ掛け片部８５を有する。第二引っ掛け片部８５は、縦片部８３と固定片部８２のそれぞれに対して一体である。第二引っ掛け片部８５は、上端部が他の部分に比べて右方向に突出した抜け止め部８６となっている。この第二引っ掛け片部８５によって縦片部８３と固定片部８２との間の角度が一定に保たれる。
【００３６】
第一吊り子８０は、図１Ｂに示すように、１枚の屋根材３の第一引っ掛け部３５と、他の１枚の屋根材３の第二引っ掛け部３６の両方を、引っ掛けて接続することができるように、縦片部８３と引っ掛け片部８４と第二引っ掛け片部８５の形状が決められている。なお、縦片部８３と引っ掛け片部８４と第二引っ掛け片部８５の形状は、図１Ｂに示す形状に限らず、その他の形状であってもよい。
【００３７】
屋根構造１００は、第一吊り子８０をサンドイッチパネル２０を介して支持部材１に固定する第一固定具６と、第二吊り子８１をサンドイッチパネル２０に固定する第二固定具７とをさらに備える。固定具６,７は、例えば、ドリルねじである。
【００３８】
第一固定具６の長さは、第一吊り子８０の固定片部８２をサンドイッチパネル２０上に固定した状態（つまり第一固定具６の軸部が固定片部８２を貫通し頭部が固定片部８２に当たるまでねじ締めした状態）において、固定片部８２とサンドイッチパネル２０を貫通してその下方の支持部材１に至る長さである。ここで、第一固定具６は、前記状態において、先端が支持部材１内に位置する長さであってもよいし、支持部材１を下方に突きぬける長さであってもよい。
【００３９】
第二固定具７の長さは、第二吊り子８１の固定片部８２をサンドイッチパネル２０上に固定した状態（つまり第二固定具７の軸部が固定片部８２を貫通し頭部が固定片部８２に当たるまでねじ締めした状態）において、先端がサンドイッチパネル２０内に位置する長さである。第二固定具７は、固定片部８２とサンドイッチパネル２０の上側の金属外皮２１を貫通し、第二固定具７の先端がサンドイッチパネル２０の芯材２３内に位置して、サンドイッチパネル２０の下側の金属外皮２１を貫通しない。
【００４０】
続いて、本実施形態の屋根構造１００の施工手順の一例について説明する。以下では、複数本の支持部材１上に固定された複数枚のサンドイッチパネル２０に対して、複数枚の屋根材３を取り付けていく手順の一例について説明する。なお、複数枚のサンドイッチパネル２０は、上面が防水シート４で覆われている。
【００４１】
本実施形態の屋根構造１００では、複数の屋根材３は、左から右へ順に設置していく。まず、１枚の屋根材３を、複数枚のうち最も左に位置するサンドイッチパネル２０上に載せる。このとき、屋根材３は、軒棟方向に並ぶ少なくとも２本の支持部材１０，１１の上方に位置する。
【００４２】
次いで、屋根材３の右端部の第一引っ掛け部３５の軒棟方向の一部に、第一吊り子８０の引っ掛け片部８４を引っ掛けた状態で、第一吊り子８０の固定片部８２を、サンドイッチパネル２０のうち、第一支持部材１０の上方の部位に載せる。
【００４３】
次いで、第一吊り子８０の固定片部８２に、上方から第一固定具６を打ち込んで、第一吊り子８０をサンドイッチパネル２０を介して第一支持部材１０に固定して、屋根材３の軒棟方向の一部をサンドイッチパネル２０上に固定する。このとき、第一固定具６は、第一吊り子８０の固定片部８２とサンドイッチパネル２０を貫通して、先端が第一支持部材１０内に位置する。
【００４４】
次いで、上述した手順と同様の手順で、他の第一吊り子８０を、サンドイッチパネル２０を介して第二支持部材１１に固定して、屋根材３の軒棟方向の他の一部をサンドイッチパネル２０上に固定する。
【００４５】
そして、屋根材３の第一引っ掛け部３５の軒棟方向の他の一部に、第二吊り子８１の引っ掛け片部８４を引っ掛けた状態で、第二吊り子８１の固定片部８２を、サンドイッチパネル２０のうち、軒棟方向に隣接する２本の支持部材１０，１１間の中間部分の上方の部位に載せる。
【００４６】
次いで、第二吊り子８１の固定片部８２に、上方から第二固定具７を打ち込んで、第二吊り子８１をサンドイッチパネル２０に固定して、屋根材３の軒棟方向の他の一部をサンドイッチパネル２０上に固定する。このとき、第二固定具７は、第二吊り子８１の固定片部８２とサンドイッチパネル２０の表側の金属外皮２１とを貫通して、先端がサンドイッチパネル２０の芯材２３内に位置する。
【００４７】
上述した吊り子８０，８１による屋根材３の右端部の固定は、屋根材３の長手方向の全長に亘って行う。第一吊り子８０は、例えば、複数本の支持部材１の本数と同じ数だけ設置される。第二吊り子８１は、軒棟方向に並ぶ２つの第一吊り子８０の間に位置するように設置する。ここで、第二吊り子８１の設置数は、軒棟方向に並ぶ２つの第一吊り子８０の間に、１つであってもよいし、２つ以上であってもよい。第二吊り子８１は、軒棟方向に隣接する他の吊り子（第一吊り子８０または第二吊り子８１）との間の間隔が、所定間隔（例えば６００ｍｍ）以下となるように設置する。なお、第一吊り子８０と第二吊り子８１の設置の順番は、どちらが先であってもよい。
【００４８】
次いで、固定した屋根材３の右側に、他の屋根材３を設置する。この他の屋根材３は、左端部の第二引っ掛け部３６を、吊り子８０，８１に引っ掛けられた状態の固定された屋根材３の第一引っ掛け部３５に引っ掛けることで、その左端部が吊り子８０，８１を介してサンドイッチパネル２０上に固定される。他の屋根材３の第二引っ掛け部３６は、吊り子８０，８１の抜け止め部８６によって、上方への抜け止めが為される。他の屋根材３の右端部のサンドイッチパネル２０への固定は、上述した手順と同様の手順で行う。
【００４９】
以上にようにして複数枚の屋根材３を左から右へと順に設置することで、本実施形態の屋根構造１００は形成される。なお、吊り子８０，８１の設置は、屋根材３の屋根下地板２への載置よりも先に行ってもよい。
【００５０】
以上説明した第一実施形態の屋根構造１００は、下記の構成を備えることを特徴とする。
【００５１】
すなわち、第一実施形態の屋根構造１００は、一方向に距離をおいて互いに略平行に並ぶ複数本の支持部材１と、複数本の支持部材１で支持される屋根下地板２と、屋根下地板２の上に配される屋根材３とを備える。さらに、第一実施形態の屋根構造１００は、屋根材３の一部を屋根下地板２に固定する第一吊り子８０と、屋根材３の他の一部を屋根下地板２に固定する第二吊り子８１を備える。さらに、第一実施形態の屋根構造１００は、第一吊り子８０を屋根下地板２を介して支持部材１に固定する第一固定具６と、第二吊り子８１を屋根下地板２に固定する第二固定具７を備える。屋根下地板２は、一対の金属外皮２１，２２の間に芯材２３を配置したサンドイッチパネル２０である。第一固定具６の長さは、サンドイッチパネル２０を貫通して支持部材１に至る長さである。第二固定具７の長さは、先端がサンドイッチパネル２０内に位置する長さである。
【００５２】
上記の構成のように、第一実施形態の屋根構造１００では、屋根下地板２を、外皮が金属製のサンドイッチパネル２０とすることで、屋根下地板２として木質の合板を用いる場合に比べて、下地強度を高めることができる。そのため、第一実施形態の屋根構造１００では、屋根下地板２の下方に配される複数本の支持部材１間の間隔を、屋根下地板２として木質の合板を用いる場合に比べて、広げることができる。なお、屋根下地板２として木質の合板を用いる場合の支持部材１間の間隔は、例えば６００ｍｍ程度であるのに対して、屋根下地板２として金属外皮のサンドイッチパネル２０を用いる場合の支持部材１間の間隔は、例えば９１０ｍｍ程度とすることができる。
【００５３】
第一実施形態の屋根構造１００では、上述のように複数本の支持部材１間の間隔を広げることで、屋根材３を支持部材１に固定する第一固定具６の設置間隔も広がることになる。しかし、第一実施形態の屋根構造１００では、下地強度が高いため、屋根材３のうち隣接する２本の支持部材１間の上方の部位については、屋根下地板２内で先端が止まる第二固定具７によって固定された第二吊り子８１を用いて、屋根下地板２に強く取り付けることができる。つまり、第一実施形態の屋根構造１００では、第一吊り子８０と第二吊り子８１によって、屋根材３を屋根下地板２に対して強く取り付けることができ、屋根材３の屋根下地板２への固定間隔を、所定間隔以下とすることができる。また、第一実施形態の屋根構造１００では、第二固定具７の先端が屋根下地板２の下面から突出しないため、屋根材３を屋根下地板２に対して美観よく取り付けることができる。
【００５４】
したがって、第一実施形態の屋根構造１００では、屋根下地板２を支持する複数本の支持部材１間の間隔を広くとることができ、かつ屋根下地板２に対して屋根材３を、美観に優れ、かつ取付強度が確保される状態で取り付けることができる。
【００５５】
また、第一実施形態の屋根構造１００では、左右に並べて設置される２枚の屋根材３は、隣接する左右の端部同士を引っ掛けて接続することで、各屋根材３の屋根下地板２への取付強度の確保がさらに容易になっている。
【００５６】
また、第一実施形態の屋根構造１００では、軒棟方向に隣接する２本の支持部材１０，１１間の距離を広くできるため、必要な支持部材１の本数を抑えることができ、製造コストを抑えることができる。
【００５７】
続いて、図３Ａ乃至図３Ｃに示す本発明の第二実施形態の屋根構造１０１について説明する。以下では、第一実施形態の屋根構造１００と同様の構成については図中に同じ符号を付し、異なる構成について詳しく説明する。
【００５８】
本実施形態の屋根構造１０１では、複数枚の屋根材３は、吊り子８０，８１を用いず、固定具６，７によって屋根下地板２に直接固定される。
【００５９】
各屋根材３は、その右端部に、固定具６，７が打ち込まれる固定部３４と、この固定部３４よりも左側において上方に突出した第一引っ掛け部３５とを有する。そして、各屋根材３は、その左端部に、第一引っ掛け部３５に引っ掛け可能な形状の第二引っ掛け部３６を有する。固定部３４と第一引っ掛け部３５と第二引っ掛け部３６はいずれも、各屋根材３に長手方向に亘って設けられている。なお、固定部３４と第一引っ掛け部３５と第二引っ掛け部３６のそれぞれの形状は、例えば、図３Ｂ及び図３Ｃに示す形状であるが、この形状に限定されない。
【００６０】
各屋根材３は、その軒棟方向の長さが、軒棟方向に並ぶ２本の支持部材１０，１１間の距離よりも長い。各屋根材３は、左右方向の長さが、例えば２６０ｍｍ〜３００ｍｍである。本実施形態の屋根構造１０１では、左右方向に隣接する２枚の屋根材３は、軒棟方向の端部が軒棟方向にずれて位置するように設置されている。そのため、図では、軒棟方向に並ぶ１枚の屋根材３と、軒棟方向に並ぶ２枚の屋根材３とが、左右方向に交互に並ぶように配置されている。
【００６１】
軒棟方向に並ぶ２枚の屋根材３は、軒側の位置する一方の屋根材３の棟側の端部と、棟側に位置する他方の屋根材３の軒側の端部とを突き合わせた状態で、この突き合わせ部にカバー材５を取り付けることで接続される。
【００６２】
左右方向に隣接する２枚の屋根材３は、左側に位置する一方の屋根材３の第一引っ掛け部３５に、右側に位置する他方の屋根材３の第二引っ掛け部３６を引っ掛けることで、接続されて保持される。
【００６３】
本実施形態の屋根構造１０１では、第一固定具６は、屋根材３の固定部３４の軒棟方向の一部を屋根下地板２を介して支持部材１に固定するものであり、第二固定具７は、屋根材３の固定部３４の軒棟方向の他の一部を屋根下地板２に固定するものである。
【００６４】
第一固定具６の長さは、屋根材３の固定部３４をサンドイッチパネル２０上に固定した状態（つまり第一固定具６の軸部が固定部３４を貫通し頭部が固定部３４に当たるまでねじ締めした状態）において、固定部３４とサンドイッチパネル２０を貫通してその下方の支持部材１に至る長さである。ここで、第一固定具６は、前記状態において、先端が支持部材１内に位置する長さであってもよいし、支持部材１を下方に突きぬける長さであってもよい。
【００６５】
第二固定具７の長さは、屋根材３の固定部３４をサンドイッチパネル２０上に固定した状態（つまり第二固定具７の軸部が固定部３４を貫通し頭部が固定部３４に当たるまでねじ締めした状態）において、先端がサンドイッチパネル２０内に位置する長さである。第二固定具７は、固定部３４とサンドイッチパネル２０の上側の金属外皮２１を貫通し、第二固定具７の先端がサンドイッチパネル２０の芯材２３内に位置して、サンドイッチパネル２０の下側の金属外皮２１を貫通しない。
【００６６】
続いて、本実施形態の屋根構造１０１の施工手順の一例について説明する。以下では、複数本の支持部材１上に固定された複数枚のサンドイッチパネル２０に対して、複数枚の屋根材３を取り付ける施工手順の一例について説明する。なお、複数枚のサンドイッチパネル２０は、上面が防水シート４で覆われている。
【００６７】
本実施形態の屋根構造１０１では、複数の屋根材３は、左から右へ順に設置していく。まず、１枚の屋根材３を、複数枚のうち最も左側に位置するサンドイッチパネル２０上に載せる。このとき、屋根材３は、軒棟方向に並ぶ少なくとも２本の支持部材１０，１１の上方に位置する。
【００６８】
次いで、屋根材３の固定部３４のうち、支持部材１０，１１の上方に位置する部位にそれぞれ、上方から第一固定具６を打ち込んで、屋根材３の軒棟方向の一部をサンドイッチパネル２０を介して支持部材１０，１１に固定する。このとき、各第一固定具６は、屋根材３の固定部３４とサンドイッチパネル２０を貫通して、先端が支持部材１内に位置する。
【００６９】
そして、屋根材３の固定部３４のうち、支持部材１０，１１の間の中間部分の上方に位置する部位に、上方から第二固定具７を打ち込んで、屋根材３の軒棟方向の他の一部をサンドイッチパネル２０上に固定する。このとき、第二固定具７は、屋根材３の固定部３４とサンドイッチパネル２０の表側の金属外皮２１を貫通して、先端がサンドイッチパネル２０の芯材２３内に位置する。
【００７０】
上述した固定具６，７による屋根材３の右端部の固定は、屋根材３の長手方向の全長に亘って行う。第一固定具６は、例えば、複数本の支持部材１の本数と同じ数だけ設置される。第二固定具７は、軒棟方向に並ぶ２つの第一固定具６の間に位置するように設置される。ここで、第二固定具７の設置数は、軒棟方向に並ぶ２つの第一固定具６の間に、１つであってもよいし、２つ以上であってもよい。第二固定具７は、軒棟方向に隣接する他の固定具（固定具６または固定具７）との間の間隔が、所定間隔（例えば６００ｍｍ）以下となるように設置する。なお、第一固定具６による固定と、第二固定具７による固定の順番はどちらが先であってもよい。
【００７１】
次いで、上述した手順と同様の手順で、他の屋根材３を、固定された屋根材３の軒棟方向に並べて設置する。屋根材３は、複数枚のサンドイッチパネル２０の軒棟方向の全長に亘るように、１枚または複数枚設置される。軒棟方向に並ぶ２つの屋根材３は、隣接する軒棟方向の端部同士が突き合わされ、この突き合わせ部分にカバー材５が取り付けられることで、接続される。
【００７２】
次いで、固定した屋根材３の右側に、他の屋根材３を設置する。この他の屋根材３は、左端部の第二引っ掛け部３６を、固定された屋根材３の右端部の第一引っ掛け部３５に引っ掛けることで、その左端部がサンドイッチパネル２０に間接的に固定される。他の屋根材３の右端部のサンドイッチパネル２０への固定は、上述した手順と同様の手順で行う。
【００７３】
以上のようにして複数枚の屋根材３を左から右へと順に設置することで、本実施形態の屋根構造１０１は形成される。
【００７４】
以上説明した第二実施形態の屋根構造１０１は、下記の構成を備えることを特徴とする。
【００７５】
すなわち、第二実施形態の屋根構造１０１は、一方向に距離をおいて互いに略平行に並ぶ複数本の支持部材１と、複数本の支持部材１で支持される屋根下地板２と、屋根下地板２の上に配される屋根材３とを備える。さらに、第二実施形態の屋根構造１０１は、屋根材３の一部を屋根下地板２を介して支持部材１に固定する第一固定具６と、屋根材３の他の一部を屋根下地板２に固定する第二固定具７とを備える。屋根下地板２は、一対の金属外皮２１，２２の間に芯材２３を配置したサンドイッチパネル２０である。第一固定具６の長さは、サンドイッチパネル２０を貫通して支持部材１に至る長さである。第二固定具７の長さは、先端がサンドイッチパネル２０内に位置する長さである。
【００７６】
上記の構成のように、第二実施形態の屋根構造１０１では、屋根下地板２を、外皮が金属製のサンドイッチパネル２０とすることで、下地強度を高めることができ、屋根下地板２の下方に配される複数本の支持部材１間の間隔を、広げることができる。
【００７７】
また、第二実施形態の屋根構造１０１では、下地強度が高いため、第一固定具６と第二固定具７によって、屋根材３を屋根下地板２に対して強く取り付けることができ、屋根材３の屋根下地板２への固定間隔を、所定間隔以下とすることができる。また、第二実施形態の屋根構造１０１では、第二固定具７の先端が屋根下地板２の下面から突出しないため、屋根材３を屋根下地板２に対して美観よく取り付けることができる。
【００７８】
したがって、第二実施形態の屋根構造１０１では、屋根下地板２を支持する複数本の支持部材１間の間隔を広くとることができ、かつ屋根下地板２に対して屋根材３を、美観に優れ、かつ取付強度が確保される状態で取り付けることができる。
【００７９】
また、第二実施形態の屋根構造１０１では、左右に並べて設置される２枚の屋根材３は、隣接する左右の端部同士を引っ掛けて接続することで、各屋根材３の屋根下地板２への取付強度の確保がさらに容易になっている。
【００８０】
続いて、図４Ａ乃至図４Ｃに示す本発明の第三実施形態の屋根構造１０２について説明する。以下では、第一実施形態の屋根構造１００と同様の構成については図中に同じ符号を付し、異なる構成について詳しく説明する。
【００８１】
第三実施形態の屋根構造１０２は、屋根下地板２の上に配される複数枚の屋根材３として、一方向（本実施形態では軒棟方向）に並ぶ第一屋根材３０と第二屋根材３１とを備える。
【００８２】
第一屋根材３０は、第一固定具６により屋根下地板２に固定される第一吊り子８０によって、屋根下地板２に取り付けられる屋根材３である。第二屋根材３１は、第二固定具７により屋根下地板２に固定される第二吊り子８１によって、屋根下地板２に取り付けられる屋根材３である。図４Ａには、第一屋根材３０が１枚、第二屋根材３１が２枚図示されている。第一屋根材３０と第二屋根材３１とは、同大同形である。そのため、以下では、第一屋根材３０について詳細に説明する。
【００８３】
第一屋根材３０は、軒棟方向を短手方向とし、左右方向を長手方向とする波形の金属製の屋根葺き材である。第一屋根材３０は、軒棟方向の長さが、隣接する２本の支持部材１０，１１間の距離の略３分の１である。第一屋根材３０の軒棟方向の長さは、例えば、３００ｍｍ〜４００ｍｍである。なお、第一屋根材３０の軒棟方向の長さは、隣接する２本の支持部材１０，１１間の距離の約半分や約４分の１であってもよいし、その他の長さであってもよい。
【００８４】
第一屋根材３０は、図４Ｂ及び図４Ｃに示すように、軒側の端部に第一引っ掛け部３５を有し、棟側の端部に第二引っ掛け部３６を有する。第一引っ掛け部３５は、第一屋根材３０の棟側の端部から上方に略Ｌ字状に突出したものであり、第二引っ掛け部３６は、第一屋根材３０の軒側の端部から下方に略Ｌ字状に突出したものである。
【００８５】
第一吊り子８０と第二吊り子８１とは、同大同形である。そのため、以下では、第一吊り子８０について詳細に説明する。
【００８６】
第一吊り子８０は、サンドイッチパネル２０上に載置される固定片部８２と、固定片部８２の軒側の端部から上方に突出した縦片部８３と、縦片部８３の上端部から軒側に略Ｌ字状に突出した引っ掛け片部８４を有する。固定片部８２と縦片部８３は、矩形板状である。第一吊り子８０の引掛け片部８４は、第一吊り子８０の軒側に配される第一屋根材３０の第一引っ掛け部３５と、第一吊り子８０の棟側に配される第二屋根材３１の第二引っ掛け部３６の両方を引っ掛けることができるように、その形状が決められている。同様に、第二吊り子８１の引掛け片部８４は、第二吊り子８１の軒側に配される第二屋根材３１の第一引っ掛け部３５と、第二吊り子８１の棟側に配される第一屋根材３０の第二引っ掛け部３６の両方を引っ掛けることができるように、その形状が決められている。
【００８７】
本実施形態の屋根構造１０２は、第一屋根材３０とサンドイッチパネル２０の間と、第二屋根材３１とサンドイッチパネル２０の間のそれぞれに配される断熱ブロック９を複数枚さらに備える。各断熱ブロック９は、波形の屋根材３０，３１に対応して、上面が波形状となっている。各断熱ブロック９は、屋根材３０，３１とサンドイッチパネル２０との間を隙間なく埋める。各断熱ブロック９は、軒側の端部の下面に、固定具６，７の頭部が収まる凹み９０を有する。
【００８８】
なお、本実施形態では、第一支持部材１０は、２つのリップ溝形鋼を開口方向が互いに逆向きとなるように一体化させたものである。第二支持部材１１は、開口方向が棟側を向くように配された１つのリップ溝形鋼である。
【００８９】
続いて、本実施形態の屋根構造１０２の施工手順の一例について説明する。以下では、複数本の支持部材１上に固定された複数枚のサンドイッチパネル２０に対して、複数枚の屋根材３を取り付ける施工手順の一例について説明する。なお、複数枚のサンドイッチパネル２０は、上面が防水シート４で覆われている。
【００９０】
本実施形態の屋根構造１０２では、複数枚の屋根材３は、軒側から棟側へと順に設置していく。以下では、軒棟方向に隣接する２本の支持部材１０，１１上のサンドイッチパネル２０に対して、第一屋根材３０と第二屋根材３１とを取り付ける手順の一例について説明する。
【００９１】
まず、第二屋根材３１を、その棟側の端部が、サンドイッチパネル２０上のうち、第一支持部材１０からの棟方向の距離が支持部材１０，１１間の軒棟方向の距離の３分の２の部分に位置するように、サンドイッチパネル２０上に載せる。このとき、第二屋根材３１は、サンドイッチパネル２０の上に設置した断熱ブロック９の上に載せる。
【００９２】
次いで、この第二屋根材３１の第一引っ掛け部３５の左右方向の一部に、第二吊り子８１の引っ掛け片部８４を引っ掛けた状態で、第二吊り子８１の固定片部８２を、第二屋根材３１よりも棟側においてサンドイッチパネル２０上に載せる。
【００９３】
次いで、第二吊り子８１の固定片部８２に、上方から第二固定具７を打ち込んで、第二吊り子８１をサンドイッチパネル２０に固定して、第二屋根材３１の棟側の端部の左右方向の一部をサンドイッチパネル２０に固定する。このとき、第二固定具７は、第二吊り子８１の固定片部８２とサンドイッチパネル２０の表側の金属外皮２１とを貫通して、先端がサンドイッチパネル２０の芯材２３内に位置する。
【００９４】
次いで、固定された第二吊り子８１から左右方向に離れた箇所において、他の第二吊り子８１を、上述した手順と同様の手順で、サンドイッチパネル２０上に固定して、第二屋根材３１の棟側の端部の左右方向の他の一部をサンドイッチパネル２０に固定する。
【００９５】
上述した第二吊り子８１による第二屋根材３１の棟側の端部の固定は、第二屋根材３１の長手方向（左右方向）の全長に亘って行う。つまり、第二屋根材３１は、左右方向に距離を置いて設置された複数の第二吊り子８１によって屋根下地板２に固定される。左右方向に隣接する第二吊り子８１間の間隔は、適宜設定可能であるが、例えば、６００ｍｍ程度の間隔である。
【００９６】
次いで、第二屋根材３１よりも棟側において、第一屋根材３０をサンドイッチパネル２０上に断熱ブロック９を介して載せる。ここで、第二屋根材３１の第一引っ掛け部３５が引っ掛かった第二吊り子８１の引っ掛け片部８４に、第一屋根材３０の第二引っ掛け部３６を引っ掛けた状態で、第一屋根材３０をサンドイッチパネル２０上に載せる。第二吊り子８１を固定する第二固定具７の頭部は、第一屋根材３０の下方の断熱ブロック９の凹み９０内に収められる。
【００９７】
次いで、第一屋根材３０の第一引っ掛け部３５の左右方向の一部に、第一吊り子８０の引っ掛け片部８４を引っ掛けた状態で、第一吊り子８０の固定片部８２を、第一支持部材１０の上方のサンドイッチパネル２０上に載せる。
【００９８】
次いで、第一吊り子８０の固定片部８２に、上方から第一固定具６を打ち込んで、第一吊り子８０をサンドイッチパネル２０を介して第一支持部材１０に固定して、第一屋根材３０をサンドイッチパネル２０上に固定する。このとき、第一固定具６は、第一吊り子８０の固定片部８２とサンドイッチパネル２０を貫通して、先端が第一支持部材１０内に位置する。
【００９９】
次いで、固定された第一吊り子８０から左右方向に離れた箇所において、他の第一吊り子８０を、上述した手順と同様の手順で、サンドイッチパネル２０上に固定して、第一屋根材３０の棟側の端部の左右方向の他の一部をサンドイッチパネル２０に固定する。
【０１００】
上述した第一吊り子８０による第一屋根材３０の棟側の端部の固定は、第一屋根材３０の長手方向（左右方向）の全長に亘って行う。つまり、第一屋根材３０は、左右方向に距離を置いて設置された複数の第一吊り子８０によって屋根下地板２に固定される。左右方向に隣接する第一吊り子８０間の間隔は、適宜設定可能であるが、例えば、６００ｍｍ程度の間隔である。
【０１０１】
以上のようにして第二屋根材３１と第一屋根材３０とを、軒側から棟側へと取り付けていくことで、本実施形態の屋根構造１０２は形成される。図に示す本実施形態の屋根構造１０２では、サンドイッチパネル２０のうち、第二支持部材１１から第一支持部材１０までの上方の部分には、２枚の第二屋根材３１と１枚の第一屋根材３０とが、この順に軒側から棟側へと並んで設置される。なお、第二支持部材１１よりも軒側と、第一支持部材１０よりも棟側についても、サンドイッチパネル２０のうち、軒棟方向に隣接する２本の支持部材１間の上方の部分には、第二屋根材３１と第一屋根材３０とが、同様の並びで設置される。
【０１０２】
以上説明した第三実施形態の屋根構造１０２は、下記の構成を備えることを特徴とする。
【０１０３】
すなわち、第三実施形態の屋根構造１０２は、一方向に距離をおいて互いに略平行に並ぶ複数本の支持部材１と、複数本の支持部材１で支持される屋根下地板２と、屋根下地板２の上に配され、前記一方向に並ぶ第一屋根材３０及び第二屋根材３１とを備える。さらに、第三実施形態の屋根構造１０２は、第一屋根材３０を屋根下地板２に固定する第一吊り子８０と、第二屋根材３１を屋根下地板２に固定する第二吊り子８１と、第一吊り子８０を屋根下地板２を介して支持部材１に固定する第一固定具６と、第二吊り子８１を屋根下地板２に固定する第二固定具７とを備える。屋根下地板２は、一対の金属外皮２１，２２の間に芯材２３を配置したサンドイッチパネル２０である。第一固定具６の長さは、サンドイッチパネル２０を貫通して支持部材１に至る長さであり、第二固定具７の長さは、先端がサンドイッチパネル２０内に位置する長さである。
【０１０４】
上記の構成のように、第三実施形態の屋根構造１０２では、屋根下地板２を、外皮が金属製のサンドイッチパネル２０とすることで、下地強度を高めることができ、屋根下地板２の下方に配される複数本の支持部材１間の間隔を、広げることができる。
【０１０５】
また、第三実施形態の屋根構造１０２では、下地強度が高いため、第一吊り子８０または第二吊り子８１によって、第一屋根材３０と第二屋根材３１のそれぞれを屋根下地板２に対して強く取り付けることができる。また、第三実施形態の屋根構造１０２では、第二固定具７の先端が屋根下地板２の下面から突出しないため、第二屋根材３１を屋根下地板２に対して美観よく取り付けることができる。また、第三実施形態の屋根構造１０２では、第一固定具６の先端も支持部材１から下方に突出しないため、第一屋根材３０を屋根下地板２に対して美観よく取り付けることができる。
【０１０６】
したがって、第三実施形態の屋根構造１０２では、屋根下地板２を支持する複数本の支持部材１間の間隔を広くとることができ、かつ屋根下地板２に対して第一屋根材３０及び第二屋根材３１を、美観に優れ、かつ取付強度が確保される状態で取り付けることができる。
【０１０７】
さらに、第三実施形態の屋根構造１０２は、上記の構成に加えて、下記の構成を付加的に備える。
【０１０８】
すなわち、第三実施形態の屋根構造１０２では、第二屋根材３１は、第一屋根材３０に引っ掛かって保持される。
【０１０９】
上記の付加的な構成のように、第三実施形態の屋根構造１０２では、第一固定具６を用いて支持部材１に固定される第一屋根材３０に、第二屋根材３１が引っ掛かって保持されるようにしたことで、屋根材３０，３１のサンドイッチパネル２０への取付強度の確保がさらに容易となっている。
【０１１０】
続いて、図５Ａ乃至図５Ｃに示す本発明の第四実施形態の屋根構造１０３について説明する。以下では、第二実施形態の屋根構造１０１と同様の構成については図中に同じ符号を付し、異なる構成について詳しく説明する。
【０１１１】
第四実施形態の屋根構造１０３は、屋根下地板２の上に配される複数枚の屋根材３として、一方向（本実施形態では軒棟方向）に並ぶ第一屋根材３０と第二屋根材３１とを備える。
【０１１２】
第一屋根材３０は、第一固定具６によって屋根下地板２に取り付けられる屋根材３である。第二屋根材３１は、第二固定具７によって屋根下地板２に取り付けられる屋根材３である。図５Ａにおいて軒棟方向に並ぶ６枚の屋根材３は、軒側から２番目に位置する屋根材３と、軒側から５番目に位置する屋根材３が、第一屋根材３０であり、その他の屋根材３が、第二屋根材３１である。第一屋根材３０と第二屋根材３１とは、同大同形である。そのため、以下では、第一屋根材３０について詳細に説明する。
【０１１３】
第一屋根材３０は、図３Ａ乃至図３Ｃに示す第二実施形態の屋根材３を横張りで用いたものである。つまり、第一屋根材３０は、第二実施形態の屋根材３と同形状のものであり、第二実施形態の屋根材３を反時計回りに９０度回転させたものである。
【０１１４】
そのため、本実施形態では、第一屋根材３０は、その棟側の端部に、固定部３４と第一引っ掛け部３５とを有し、その軒側の端部に、第二引っ掛け部３６を有する。
【０１１５】
第一屋根材３０は、その軒棟方向の長さが、隣接する２本の支持部材１０，１１間の距離の約３分の１である。第一屋根材３０の軒棟方向の長さは、例えば、２６０ｍｍ〜３００ｍｍである。なお、第一屋根材３０の軒棟方向の長さは、隣接する２本の支持部材１０，１１間の距離の約２分の１や約４分の１であってもよいし、その他の長さであってもよい。
【０１１６】
なお、本実施形態では、第一支持部材１０は、２つのリップ溝形鋼を開口方向が互いに逆向きとなるように一体化させたものである。第二支持部材１１は、開口方向が棟側を向くように配された１つのリップ溝形鋼である。
【０１１７】
続いて、本実施形態の屋根構造１０３の施工手順の一例について説明する。以下では、複数本の支持部材１上に固定された複数枚のサンドイッチパネル２０に対して、複数枚（６枚）の屋根材３を取り付ける施工手順の一例について説明する。なお、複数枚のサンドイッチパネル２０の上面は、防水シート４で覆われているものとする。６枚の屋根材３は、最も軒側の位置するものから順に、第１の屋根材１３１，第２の屋根材１３２，第３の屋根材１３３，第４の屋根材１３４，第５の屋根材１３５，第６の屋根材１３６と記載する。屋根材１３２，１３５は、第一屋根材３０であり、屋根材１３１，１３３，１３４，１３６は、第二屋根材３１である。
【０１１８】
まず、第１の屋根材１３１を、その棟側の端部の固定部３４が、サンドイッチパネル２０のうち、第二支持部材１１からの軒方向の距離が支持部材１０，１１間の軒棟方向の距離の３分の１の部分の上方に位置するように、サンドイッチパネル２０上に載せる。次いで、第１の屋根材１３１の固定部３４の左右方向の一部に、上方から第二固定具７を打ち込んで、第１の屋根材１３１の棟側の端部の左右方向の一部を、サンドイッチパネル２０に固定する。このとき、第二固定具７は、第１の屋根材１３１の固定部３４とサンドイッチパネル２０の表側の金属外皮２１を貫通して、先端がサンドイッチパネル２０の芯材２３内に位置し、表側の金属外皮２１に対して固定される。
【０１１９】
次いで、打ち込んだ第二固定具７から左右方向に離れた箇所において、第１の屋根材１３１の固定部３４の左右方向の他の一部に、他の第二固定具７を打ち込んで、第１の屋根材１３１の固定部３４の左右方向の他の一部をサンドイッチパネル２０上に固定する。
【０１２０】
上述した第二固定具７による第１の屋根材１３１の棟側の端部の固定は、第１の屋根材１３１の長手方向（左右方向）の全長に亘って行う。つまり、第１の屋根材１３１は、左右方向に距離を置いて位置する複数の第二固定具７によって屋根下地板２に固定される。左右方向に隣接する第二固定具７間の間隔は、適宜設定可能であるが、例えば、６００ｍｍ程度の間隔である。
【０１２１】
次いで、固定された第１の屋根材１３１の第一引っ掛け部３５に、第２の屋根材１３２の第二引っ掛け部３６を引っ掛けた状態で、第２の屋根材１３２を、第１の屋根材１３１よりも棟側においてサンドイッチパネル２０上に載せる。
【０１２２】
次いで、第２の屋根材１３２の固定部３４に、上方から第一固定具６を打ち込んで、第２の屋根材１３２の棟側の端部の左右方向の一部をサンドイッチパネル２０を介して支持部材１１に固定する。このとき、第一固定具６は、第２の屋根材１３２の固定部３４とサンドイッチパネル２０とを貫通して、先端が支持部材１１内に位置する。
【０１２３】
上述した第一固定具６による第２の屋根材１３２の棟側の端部の固定は、第２の屋根材１３２の長手方向（左右方向）の全長に亘って行う。つまり、第２の屋根材１３２は、左右方向に距離を置いて位置する複数の第一固定具６によって屋根下地板２に固定される。左右方向に隣接する第一固定具６間の間隔は、適宜設定可能であるが、例えば、６００ｍｍ程度の間隔である。
【０１２４】
次いで、固定された第２の屋根材１３２の第一引っ掛け部３５に、第３の屋根材１３３の第二引っ掛け部３６を引っ掛けた状態で、第３の屋根材１３３を、第２の屋根材１３２よりも棟側においてサンドイッチパネル２０上に載せる。
【０１２５】
次いで、第１の屋根材１３１の固定と同様に、第３の屋根材１３３の固定部３４の左右方向の複数箇所に、上方から第二固定具７を打ち込んで、第３の屋根材１３３の棟側の端部を、長手方向の全長に亘って、サンドイッチパネル２０に固定する。
【０１２６】
次いで、第３の屋根材１３３と同様の手順で、第４の屋根材１３４を設置する。つまり、固定された第３の屋根材１３３の第一引っ掛け部３５に、第４の屋根材１３４の第二引っ掛け部３６を引っ掛けた状態で、第４の屋根材１３４を、第２の屋根材１３２よりも棟側においてサンドイッチパネル２０上に固定する。
【０１２７】
次いで、固定された第４の屋根材１３４の第一引っ掛け部３５に、第５の屋根材１３５の第二引っ掛け部３６を引っ掛けた状態で、第５の屋根材１３５を、第４の屋根材１３４よりも棟側においてサンドイッチパネル２０上に載せる。このとき、第５の屋根材１３５の棟側の端部の固定部３４は、第一支持部材１０の上方に位置する。
【０１２８】
次いで、第５の屋根材１３５の固定部３４の左右方向の複数箇所に、上方から第一固定具６を打ち込んで、第５の屋根材１３５の棟側の端部を、長手方向の全長に亘って、サンドイッチパネル２０を介して第一支持部材１０に固定する。このとき、各第一固定具６は、第５の屋根材１３５の固定部３４とサンドイッチパネル２０とを貫通して、先端が第一支持部材１０内に位置する。
【０１２９】
次いで、固定された第５の屋根材１３５の第一引っ掛け部３５に、第６の屋根材１３６の第二引っ掛け部３６を引っ掛けた状態で、第６の屋根材１３６の固定部３４の左右方向の複数箇所に、上方から第二固定具７を打ち込んで、第６の屋根材１３６の棟側の端部を、長手方向の全長に亘って、サンドイッチパネル２０に固定する。
【０１３０】
なお、図に示す例では、第２の屋根材１３２と第４の屋根材１３４と第６の屋根材１３６は、左右方向の端部が、その他の屋根材１３１，１３３，１３５の左右方向の端部に対して左右方向に位置がずれるようにして設置される。屋根材１３２，１３４，１３６はそれぞれ、左右方向に２枚ずつ並べて設置する。左右に隣接する２枚の屋根材１３２は、左右方向の端部同士を突き合わせた状態で、この突き合わせ部分にカバー材５を覆うように取り付けることによって接続される。左右に隣接する２枚の屋根材１３４と左右に隣接する２枚の屋根材１３６も同様に、カバー材５で端部同士の接続を行う。
【０１３１】
以上のように屋根材３を複数枚、軒側から棟側へと順に取り付けることで、本実施形態の屋根構造１０３は形成される。
【０１３２】
以上説明した第四実施形態の屋根構造１０３は、下記の構成を備えることを特徴とする。
【０１３３】
すなわち、第四実施形態の屋根構造１０３は、一方向に距離をおいて互いに略平行に並ぶ複数本の支持部材１と、複数本の支持部材１で支持される屋根下地板２と、屋根下地板２の上に配され、前記一方向に並ぶ第一屋根材３０及び第二屋根材３１とを備える。さらに、第一実施形態の屋根構造１００は、第一屋根材３０を屋根下地板２を介して支持部材１に固定する第一固定具６と、第二屋根材３１を屋根下地板２に固定する第二固定具７とを備える。屋根下地板２は、一対の金属外皮２１，２２の間に芯材２３を配置したサンドイッチパネル２０である。第一固定具６の長さは、サンドイッチパネル２０を貫通して支持部材１に至る長さである。第二固定具７の長さは、先端がサンドイッチパネル２０内に位置する長さである。
【０１３４】
上記の構成のように、第四実施形態の屋根構造１０３では、屋根下地板２を、外皮が金属製のサンドイッチパネル２０とすることで、下地強度を高めることができ、屋根下地板２の下方に配される複数本の支持部材１間の間隔を、広げることができる。
【０１３５】
また、第四実施形態の屋根構造１０３では、下地強度が高いため、第一固定具６または第二固定具７によって、第一屋根材３０と第二屋根材３１のそれぞれを屋根下地板２に対して強く取り付けることができる。また、第四実施形態の屋根構造１０３では、第二固定具７の先端が屋根下地板２の下面から突出しないため、第二屋根材３１を屋根下地板２に対して美観よく取り付けることができる。また、第四実施形態の屋根構造１０３では、第一固定具６の先端も支持部材１から下方に突出しないため、第一屋根材３０を屋根下地板２に対して美観よく取り付けることができる。
【０１３６】
したがって、第四実施形態の屋根構造１０３では、屋根下地板２を支持する複数本の支持部材１間の間隔を広くとることができ、かつ屋根下地板２に対して第一屋根材３０及び第二屋根材３１を、美観に優れ、かつ取付強度が確保される状態で取り付けることができる。
【０１３７】
さらに、第四実施形態の屋根構造１０３では、上記の構成に加えて、下記の構成を付加的に備える。
【０１３８】
すなわち、第四実施形態の屋根構造１０３では、第二屋根材３１は、第一屋根材３０に引っ掛かって保持される。
【０１３９】
上記の付加的な構成のように、第四実施形態の屋根構造１０３では、第一固定具６を用いて支持部材１に固定される第一屋根材３０に、第二屋根材３１が引っ掛かって保持されるようにしたことで、屋根材３０，３１のサンドイッチパネル２０への取付強度の確保がさらに容易となっている。
【０１４０】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１４１】
１      支持部材
２      屋根下地板
３      屋根材
６      第一固定具
７      第二固定具
２０    サンドイッチパネル
２１    金属外皮
２２    金属外皮
２３    芯材
３０    第一屋根材
３１    第二屋根材
８０    第一吊り子
８１    第二吊り子
１００  屋根構造
１０１  屋根構造
１０２  屋根構造
１０３  屋根構造
【図１】
0006688012.tif 000002
【図２】
0006688012.tif 000003
【図３】
0006688012.tif 000004
【図４】
0006688012.tif 000005
【図５】
0006688012.tif 000006